(57)【要約】【課題】ＵＭＴＳにおいて測定レポートを提供するユーザ装置の動作方法を提供する。【解決手段】ＵＭＴＳ（universal  mobile  telecommunications  system）において、ＲＡＮ（radio  access  network）は、ＵＥ（user  equipment）と通信する複数の基地局を含む。ＲＡＮは、設定情報とロケーションレポーティングインジケータとを含む測定制御メッセージをＵＥに送信するように構成される。ＵＥは、設定情報に応じてＭＤＴ（minimization  of  drive  test）を行い、ロケーションレポーティングインジケータに応じて、記録された測定結果とともにロケーション情報を提供するように構成される。【選択図】図２
2014057293.tif 000002
【特許請求の範囲】
【請求項１】
ＵＭＴＳ（universal  mobile  telecommunications  system）において測定レポートを提供するユーザ装置の動作方法であって、
設定情報とロケーションレポーティングインジケータとを有する測定制御メッセージを受信するステップと、
設定情報に応じてＭＤＴ（minimization  of  drive  test）を行い、そのＭＤＴ中に収集したデータを記録するステップと、
前記設定情報により特定される第１のレポーティングイベントが満たされた時、前記第１のレポーティングイベントに関連する第１の測定レポートを提供するステップと、
前記ロケーションレポーティングインジケータにおいて前記第１のレポーティングイベントが選択された時、前記第１の測定レポートとともに第１のロケーション情報を提供するステップとを有することを特徴とする、動作方法。
【請求項２】
前記ロケーションレポーティングインジケータは、第１のレポーティングイベントを選択する第１の値、又は第１のレポーティングイベントを除く第２の値に設定される１ビットを含むことを特徴とする、
請求項１に記載の方法。
【請求項３】
前記設定情報は、それぞれが一又は複数のレポーティングイベントを有するＭ個のレポーティングイベントタイプを示し、
前記ロケーションレポーティングインジケータは、前記Ｍ個のレポーティングイベントタイプのうちのＮ個のレポーティングイベントタイプを選択する第１の値に設定される、又は前記Ｍ個のレポーティングイベントタイプのうちの前記Ｎ個のレポーティングイベントタイプを除く第２の値に設定される１ビットを含み、
ＭとＮは正整数であり、
ＭはＮ以上であることを特徴とする、
請求項１に記載の方法。
【請求項４】
前記設定情報は、それぞれが一又は複数のレポーティングイベントを有する複数のレポーティングイベントタイプを示し、
前記ロケーションレポーティングインジケータは、複数のビットを含み、各ビットは、対応するレポーティングイベントタイプに関連付けられ、前記対応するレポーティングイベントタイプのうちの一又は複数のレポーティングイベントを選択する第１の値に設定され、又は前記対応するレポーティングイベントタイプのうちの一又は複数のレポーティングイベントを除く第２の値に設定されることを特徴とする、
請求項１に記載の方法。
【請求項５】
前記設定情報は一又は複数のレポーティングイベントを示し、
前記ロケーションレポーティングインジケータは、一又は複数のビットを含み、各ビットは、対応するレポーティングイベントに関連付けられ、前記対応するレポーティングイベントを選択する第１の値に設定され、又は前記対応するレポーティングイベントを除く第２の値に設定されることを特徴とする、請求項１に記載の方法。
【請求項６】
前記設定情報は複数のレポーティングイベントを示し、
前記ロケーションレポーティングインジケータは、前記複数のレポーティングイベントを選択する第１の値に設定され、又は前記複数のレポーティングイベントを除く第２の値に設定される１ビットを含むことを特徴とする、
請求項１に記載の方法。
【請求項７】
前記設定情報により特定される第２のレポーティングイベントが満たされた時、前記第２のレポーティングイベントに関連する第２の測定レポートを提供するステップと、
前記ロケーションレポーティングインジケータにおいて前記第２のレポーティングイベントが選択された時、前記第２の測定レポートとともに第２のロケーション情報を提供するステップとを有することをさらに特徴とする、請求項１に記載の方法。
【発明の詳細な説明】
【技術分野】
【０００１】
本発明は、移動通信の分野に関し、より具体的には、請求項１の特徴前段落に記載した、ＵＭＴＳ（universal  mobile  telecommunications  system）において測定レポート（measurement  report）を提供するユーザ装置（user  equipment）の動作方法に関する。
【背景技術】
【０００２】
３ＧＰＰ（３rd  Generation  Partnership  Project）は、ＵＭＴＳ（universal  mobile  telecommunications  system）を開発した。これは、ＷＣＤＭＡ（登録商標）（wideband  code  division  multiple  access）技術を用いるものであり、周波数スペクトル利用度が高く、世界的に利用され（universal  coverage）、マルチメディアデータ伝送が高速かつ高品質で行える。ＵＭＴＳでは、ＵＴＲＡＮ（universal  terrestrial  radio  access  network）として知られる無線アクセスネットワークは、複数の移動局であるユーザ装置（ＵＥ）と通信する複数の基地局（Node-B、ＮＢ）を含む。
【０００３】
コールドロップや信号劣化をせずに、シームレスで高品質かつ広い信号カバレッジを提供するために、無線通信システムのＮＢを適切に展開しなければならない。しかし、ＮＢの展開の計画及び最適化は、無線通信システムの事業者にとって時間と手間がかかる信号品質測定に基づく。測定を実行する一般的な方法には、異なる時刻に、関心のある地理的ロケーションにおいて信号の強度及び品質を測定する方法がある。それゆえ、無線通信システムのＵＥが、測定を行い、ＮＢに測定レポートを送信すれば、より経済的である。多くの人間的及び物質的リソースをさかなくても、複数のＵＥから受信した測定レポートに基づき、ＮＢの展開を計画し、最適化できる。
【０００４】
ＵＭＴＳに関連する現在の３ＧＰＰの仕様書（３ＧＰＰ  ＴＳ２５．３３１など）で提案されたＭＤＴ（minimization  of  drive  test）では、ＵＥは、無線チャネルを測定し、特定のイベントに応答してすぐに、又は無線チャネル測定情報が記録された時から所定時間が経過した後に、ある時間間隔で定期的に、無線チャネル測定情報をＮＢにレポートするように構成される。ＵＥは、チャネル測定の完了後測定レポートを送信する。ＮＢは、ＵＥから受信したＭＤＴ測定レポートを用いて、カバレッジ最適化、モビリティ最適化、キャパシティ最適化、及びサービス品質（ＱｏＳ）確認を行う。それゆえ、上記の最適化や確認を行う時に、ＮＢの効率を改善する必要がある。
【発明の概要】
【発明が解決しようとする課題】
【０００５】
これを考慮して、本発明は、ＵＭＴＳにおいて測定レポートを提供するユーザ装置の動作方法を提供することを目的とする。
【課題を解決するための手段】
【０００６】
これは、請求項１に記載のユーザ装置の動作方法により達成される。従属項は、対応するさらなる発展や改良に関する。
【０００７】
以下の詳細な説明から明らかになるように、請求項に係る方法は、設定情報とロケーションレポーティングインジケータとを有する測定制御メッセージを受信するステップと、前記設定情報に応じてＭＤＴを実行し、ＭＤＴデータを記録するステップと、前記設定情報により特定される第１のレポーティングイベントが満たされた時、前記第１のレポーティングイベントに関連する第１の測定レポートを提供するステップと、前記ロケーションレポーティングインジケータにおいて前記第１のレポーティングイベントが選択された時、前記第１の測定レポートとともに第１のロケーション情報を提供するステップとを有することを特徴とする。
【図面の簡単な説明】
【０００８】
以下、添付した図面を参照して、例示により本発明を説明する。
【図１】本発明の一実施形態による、ＵＭＴＳにおいてロケーション情報とともに測定レポートを提供する方法を示す信号伝達図である。
【図２】本発明の実施形態による、ＵＭＴＳにおけるユーザ装置の動作を示す図である。
【発明を実施するための形態】
【０００９】
図１は、本発明の一実施形態による、ＵＭＴＳにおいてロケーション情報とともに測定レポートを提供する方法を示す信号伝達図である。
【００１０】
ＵＭＴＳは、ユーザ装置ＵＥ、コアネットワークＣＮ、及びＵＴＲＡＮを含む。コアネットワークＣＮは、回路スイッチ領域とパケットスイッチ領域とに分かれている（図１には図示せず）。回路スイッチ要素は、ＭＳＣ（Mobile  services  Switching  Center）、ＶＬＲ（Visitor  location  register）、及びゲートウェイＭＳＣを含む。パケットスイッチ要素は、ＳＧＳＮ（Serving  GPRS  Support  Node）とＧＧＳＮ（Gateway  GPRS  Support  Node）を含む。ＥＩＲ（Equipment  Identity  Register）、ＨＬＲ（Home  Location  Register）、ＶＬＲ、及びＡＵＣ（Authentication  Center）など一部のネットワーク要素は、両方の領域により共有される。ステップＳ１において、ＭＤＴタイプ、測定リスト、及びレポーティングトリガー情報が、コアネットワークＣＮからＵＴＲＡＮにシグナリングされる。
【００１１】
ＵＴＲＡＮにより、ＵＥとコアネットワークＣＮとの間の接続がされる。ステップＳ２において、ＵＴＲＡＮは、ＵＴＲＡＮのＲＲＣ（Radio  Resource  Control）からＵＥ上のピアエンティティＲＲＣに送信されるMEASUREMENT  CONTROLメッセージにより、ＵＥの測定関連の設定を制御する。MEASUREMENT  CONTROLメッセージは、ＭＤＴ設定情報（測定タイプ、絶対基準時間、サンプリングサイクル、又は測定時間）及びロケーションレポーティングインジケータを含む。
【００１２】
３ＧＰＰ  ＴＳ２５.３３１などの、ＵＭＴＳに関連する現在の３ＧＰＰ仕様に含まれるＲＲＣプロトコル仕様では、ＵＭＴＳにおけるＵＥ測定は、７つのタイプに分類できる：周波数内（intra-frequency）測定、周波数間（inter-frequency）測定、ＲＡＴ間（inter-  Radio  Access  Technology、inter-RAT)測定、トラフィックボリューム（traffic  volume）測定、品質（quality）測定、ＵＥ内部（internal）測定、及びＵＥポジショニング（positioning）測定である。
【００１３】
周波数間（intra-frequency）測定は、次に示す９つのレポーティングイベントを含む：
イベント１Ａ：ＣＰＩＣＨ（primary  common  pilot  channel）がレポーティングレンジに入る；
イベント１Ｂ：プライマリＣＰＩＣＨがレポーティングレンジを離れる；
イベント１Ｃ：非アクティブなプライマリＣＣＰＣＨがアクティブなプライマリＣＣＰＣＨより良くなる；
イベント１Ｄ：ベストセル（best  cell）の変更；
イベント１Ｅ：プライマリＣＣＰＣＨが絶対閾値より良くなる；
イベント１Ｆ：プライマリＣＣＰＣＨが絶対閾値より悪くなる；
イベント１Ｇ：ベストセル（best  cell）の変更；
イベント１Ｈ：タイムスロット干渉信号コードパワー（ＩＳＣＰ）がある閾値より低い；
イベント１Ｉ：タイムスロットＩＳＣＰがある閾値より高い。
【００１４】
周波数間（inter-frequency）測定は、次に示す６つのレポーティングイベントを含む：
イベント２Ａ：ベスト周波数（best  frequency）の変更；
イベント２Ｂ：現在使用中の周波数の推定品質がある閾値より低く、使用中でない周波数の推定品質がある閾値より高い；
イベント２Ｃ：使用中でない周波数の推定品質がある閾値より高い；
イベント２Ｄ：現在使用中の周波数の推定品質がある閾値より低い；
イベント２Ｅ：使用中でない周波数の推定品質がある閾値より低い；
イベント２Ｆ：現在使用中の周波数の推定品質がある閾値より高い。
【００１５】
ＲＡＴ間（inter-RAT）測定は、次に示す４つのレポーティングイベントを含む：
イベント３Ａ：現在利用中のＵＴＲＡＮの推定品質がある閾値より低く、その他のシステムの推定品質がある閾値より高い；
イベント３Ｂ：その他のシステムの推定品質がある閾値より低い；
イベント３Ｃ：その他のシステムの推定品質がある閾値より高い；
イベント３Ｄ：他のシステムにおけるベストセル（best  cell）の変更。
【００１６】
トラフィックボリューム（traffic  volume）測定は、次に示す２つのレポーティングイベントを含む：
イベント４Ａ：トランスポートチャネルトラフィックボリュームがある絶対閾値を越える；及び
イベント４Ｂ：トランスポートチャネルトラフィックボリュームがある絶対閾値より小さくなる。
【００１７】
品質測定は、次に示す１つのレポーティングイベントを含む：
イベント５Ａ：ＣＲＣ（cycle  redundancy  check）が正しくない回数が所定回数を超える。
【００１８】
ＵＥ内部（UE  internal）測定は、次に示す７つのレポーティングイベントを含む：
イベント６Ａ：ＵＥの送信パワーがある絶対閾値より大きくなる；
イベント６Ｂ：ＵＥの送信パワーがある絶対閾値より小さくなる；
イベント６Ｃ：ＵＥ送信パワーが最小値になる；
イベント６Ｄ：ＵＥ送信パワーが最大値になる；
イベント６Ｅ：ＵＥのＲＳＳＩ（received  signal  strength  indicator）が、そのＵＥのダイナミックレシーバレンジ（dynamic  receiver  range）に達する；
イベント６Ｆ：ＵＥの受送信時間差（receiving-transmitting  time  difference）がある絶対閾値より大きくなる；
イベント６Ｇ：ＵＥの受送信時間差（receiving-transmitting  time  difference）がある絶対閾値より小さくなる。
【００１９】
ＵＥポジショニング（UE  positioning）測定は、次に示す７つのレポーティングイベントを含む：
イベント７Ａ：ＵＥのポジションがある絶対閾値より大きく変化する；
イベント７Ｂ：ＳＦＮ（single  frequency  network）測定がある絶対閾値より変化する；
イベント７Ｃ：ＧＰＳ（global  positioning  system）時間とＳＦＮ時間がある絶対閾値より大きく離れるほどドリフトする。
【００２０】
ステップＳ３において、ＵＥは、ＭＤＴを実行し、ＭＤＴ測定結果を記録し、measurement  controlメッセージにより測定レポートを提供し、ロケーションレポーティングインジケータにより、記録されたＭＤＴ測定結果とともにロケーション情報を提供するように構成されている。
【００２１】
図２は、本発明の実施形態による、measurement  controlメッセージに応じたＵＥの動作を示す図である。
【００２２】
measurement  controlメッセージ中のＭＤＴ設定情報は、上記のレポーティングイベントのうち一又は複数が満たされたとき、ＵＥに測定レポートの送信を命じるために用いることができる。例えば、ＭＤＴ設定は、実施形態１−３及び５に示すように、すべてのタイプの測定を示すように、設定できる。言い換えると、ＵＥは、レポーティングイベント１Ａ〜１Ｉ、２Ａ〜２Ｆ、３Ａ〜３Ｄ、４Ａ〜４Ｂ、５Ａ、６Ａ〜６Ｇ及び７Ａ〜７Ｄのどれかが満たされると、ステップＳ３において、ＵＴＲＡＮに、対応する測定レポートを送信するように構成されている。ＭＤＴ設定は、実施形態４では、周波数内測定、周波数間測定、及びＲＡＴ間測定などの、あるタイプの測定のみを示すように設定してもよい。言い換えると、ＵＥは、レポーティングイベント１Ａ〜１Ｉ、２Ａ〜２Ｆ及び３Ａ〜３Ｄのどれかが満たされると、ステップＳ３において、ＵＴＲＡＮに、対応する測定レポートを送信するように構成されている。
【００２３】
測定制御（measurement  control）メッセージ中のロケーションレポーティングインジケータは、上記のレポーティングイベントのうち一又は複数を選択するように設定してもよい。
【００２４】
実施形態１では、ロケーションレポーティングインジケータは、すべてのレポーティングイベントを選択する又は除く（deselect）ためにロジックハイ又はローに設定できる１ビットを含む。例えば、ロケーションレポーティングインジケータが１に設定されているとき、ＵＥは、レポーティングイベント１Ａ〜１Ｉ、２Ａ〜２Ｆ、３Ａ〜３Ｄ、４Ａ〜４Ｂ、５Ａ、６Ａ〜６Ｇ及び７Ａ〜７Ｄのうちのどれかが満たされると、ＵＴＲＡＮに、ロケーション情報とともに測定レポートを送信し；ロケーションレポーティングインジケータが０に設定されているとき、ＵＥは、レポーティングイベント１Ａ〜１Ｉ、２Ａ〜２Ｆ、３Ａ〜３Ｄ、４Ａ〜４Ｂ、５Ａ、６Ａ〜６Ｇ及び７Ａ〜７Ｄのうちのどれかが満たされると、ＵＴＲＡＮに、ロケーション情報を伴わない測定レポートを送信するように構成されている。
【００２５】
実施形態２では、ロケーションレポーティングインジケータは、あるタイプのレポーティングイベントを選択（select）する又は除く（deselect）ためにロジックハイ又はローに設定できる１ビットを含む。あるアプリケーションについて、周波数内測定、周波数間測定及びＲＡＴ間測定が、その他の測定より重要であると考えられる場合、ロケーションレポーティングインジケータは、これら３タイプのレポーティングイベントを選択（select）する又は除く（deselect）ように設定できる。例えば、ロケーションレポーティングインジケータが１に設定されているとき、ＵＥは、レポーティングイベント１Ａ〜１Ｉ、２Ａ〜２Ｆ及び３Ａ〜３Ｄのうちのどれかが満たされると、ＵＴＲＡＮに、ロケーション情報とともに測定レポートを送信し、レポーティングイベント４Ａ〜４Ｂ、５Ａ、６Ａ〜６Ｇ及び７Ａ〜７Ｄのどれかが満たされると、ＵＴＲＡＮに、ロケーション情報を伴わない測定レポートを送信し、ロケーションレポーティングインジケータが１に設定されているとき、ＵＥは、レポーティングイベント１Ａ〜１Ｉ、２Ａ〜２Ｆ、３Ａ〜３Ｄ、４Ａ〜４Ｂ、５Ａ、６Ａ〜６Ｇ及び７Ａ〜７Ｄのうちのどれかが満たされると、ＵＴＲＡＮに、ロケーション情報を伴わない測定レポートを送信するように構成されている。
【００２６】
実施形態３では、ロケーションレポーティングインジケータは複数のビットを含む、その長さは測定タイプの数に関連する。現在の３ＧＰＰの仕様によると、ロケーションレポーティングインジケータは、周波数内測定、周波数間測定、ＲＡＴ間測定、トラフィックボリューム測定、品質測定、ＵＥ内部測定、及びＵＥポジション測定のそれぞれに対応する７ビットを含む。例えば、実施形態３に示すように、ロケーションレポーティングインジケータが（１１１００００）に設定されているとき、ＵＥは、レポーティングイベント１Ａ〜１Ｆ、２Ａ〜２Ｆ及び３Ａ〜３Ｄのうちのどれかが満たされると、ＵＴＲＡＮに、ロケーション情報とともに測定レポートを送信し、レポーティングイベント４Ａ〜４Ｂ、５Ａ、６Ａ〜６Ｇ及び７Ａ〜７Ｄのどれかが満たされると、ＵＴＲＡＮに、ロケーション情報を伴わない測定レポートを送信するように構成されている。
【００２７】
実施形態４では、ロケーションレポーティングインジケータは複数のビットを含み、その長さはＭＤＴ設定により示された測定タイプの数に関連する。実施形態４では、ＭＤＴ設定が、周波数内測定、周波数間測定及びＲＡＴ間測定を示すように設定されると、ロケーションレポーティングインジケータは、周波数内測定、周波数間測定及びＲＡＴ間測定それぞれに対応する３ビットを含む。例えば、実施形態４に示すように、ロケーションレポーティングインジケータが（１００）に設定されているとき、ＵＥは、レポーティングイベント１Ａ〜１Ｆのうちのどれかが満たされると、ＵＴＲＡＮに、ロケーション情報とともに測定レポートを送信し、レポーティングイベント２Ａ〜２Ｆ及び３Ａ〜３Ｄのどれかが満たされると、ＵＴＲＡＮに、ロケーション情報を伴わない測定レポートを送信するように構成されている。
【００２８】
実施形態５では、ロケーションレポーティングインジケータは複数のビットを含む、その長さは測定レポーティングイベントの数に関連する。現在の３ＧＰＰ仕様によると、ロケーションレポーティングインジケータは３３ビット信号でもよい。３３ビットはイベント１Ａ〜１Ｉ、２Ａ〜２Ｆ、３Ａ〜３Ｄ、４Ａ〜４Ｂ、５Ａ、６Ａ〜６Ｇ及び７Ａ〜７Ｄそれぞれに対応している。例えば、実施形態５に示すように、ロケーションレポーティングインジケータが（１１０００００１０００００１０００００００００００００００００）に設定されているとき、ＵＥは、レポーティングイベント１Ａ、１Ｂ、２Ａ及び３Ａのうちのどれかが満たされると、ＵＴＲＡＮに、ロケーション情報をともなう測定レポートを送信し、レポーティングイベント１Ｃ〜１Ｉ、２Ｂ〜２Ｆ、３Ｂ〜３Ｄ、４Ａ〜４Ｂ、５Ａ、６Ａ〜６Ｇ及び７Ａ〜７Ｄのどれかが満たされると、ＵＴＲＡＮに、ロケーション情報を伴わない測定レポートを送信するように構成されている。
【００２９】
本発明では、ロケーション情報は、ＧＰＳ（global  positioning  system）情報、ＡＧＰＳ（assisted  global  positioning  system）情報、ＧＮＳＳ（global  navigation  satellite  system）情報であってもよい。
【００３０】
本発明により、ＵＭＴＳにおいてＵＴＲＡＮのＮＢに、ロケーション情報とともに測定レポートを提供するＵＥの動作方法が提供される。ＮＢは、効率よく、カバレッジ最適化、モビリティ最適化、キャパシティ最適化、及びＱｏＳ確認を実行できる。
【図１】
2014057293.tif 000003
【図２】
2014057293.tif 000004